(57)【要約】【課題】ピストンの押引を円滑にできるパッキンを提供する。【解決手段】パッキン１１は、嵌着管部１２と、該嵌着管部１２に連成した外側に広がるテーパ部３と、該テーパ部１３に連成した摺擦部１４を、厚さが先端に向かって漸増する略逆台形の断面形状とするとともに、その摺擦面１５の傾斜角度θａをテーパ部１３の傾斜角度θｂよりも緩やかな角度に形成したものである。パッキン１１は摺擦部１４の摺擦面１５の先端部でシリンダ２４と摺擦するから、吸引方向と逆向きに作用する摩擦力が弱まりパッキン１１の耐久性が向上する。さらに、摺擦部１４での摩擦力が前記テーパ部１３に伝わって、該テーパ部１３が外側に膨らむ状態となると、逆に略逆台形の断面形状の摺擦部１４がピストン２２側の内側に倒れるから、該摺擦部１４が反り返えることなく円滑にピストン２２を押引できる。【選択図】　　　　図３
2004060791.tif 000002
【特許請求の範囲】
【請求項１】
シリンダ内を押引されるピストンの外周に嵌着するパッキンであって、前記ピストンの外周に形成された環状嵌着溝に嵌着する嵌着管部と、該嵌着管部に連成した外側に広がるテーパ部と、該テーパ部に連成したシリンダ内面と摺擦する摺擦部とからなり、該摺擦部の厚さをテーパ部よりも厚くしたことを特徴とするピストン用パッキン。
【請求項２】
前記テーパ部に連成した摺擦部を、厚さが先端に向かって漸増する略逆台形の断面形状とするとともに、その摺擦面の傾斜角度を前記テーパ部の傾斜角度よりも緩やかな角度としたことを特徴とする請求項１に記載のピストン用パッキン。
【発明の詳細な説明】
【０００１】
【発明の属する技術分野】
本発明は、合成樹脂製のピストン式搾乳器や注射器等のピストンに用いるピストン用パッキン（以下単にパッキンという）に関するものである。
【０００２】
【従来の技術】
従来、合成樹脂製のピストン式搾乳器や注射器等のパッキンａは、合成ゴム（ＮＢＲ）製で図４に示すようにピストンｂの外周に形成された環状嵌着溝ｃに嵌着する嵌着管部ｄに、シリンダｅと摺擦するテーパ状の摺擦部ｆを連成したものであった。このパッキンａを用いたピストン式搾乳器や注射器等を、電子レンジで加熱して消毒すると、ＮＢＲの高伝熱性により溶損してしまうという問題点があった。
【０００３】
【発明が解決しようとする課題】
このため、電子レンジで加熱消毒できるように、ＮＢＲよりも低伝熱性のシリコンゴム製で同一形状のものを開発したが、パッキンａとシリンダｅ間の摩擦力が大で、ピストンｂの滑りが悪いばかりでなく、テーパ状の摺擦部ｆが反り返ってしまい使用不能となる等の不具合が生じた。
本発明は上記不具合を解決するためになされたもので、ピストンの押引を円滑にできるパッキンを提供することを目的とする。
【０００４】
【課題を解決するための手段】
上記目的を達成するための請求項１に記載のパッキンは、シリンダ内を押引されるピストンの外周に嵌着するパッキンであって、前記ピストンの外周に形成された環状嵌着溝に嵌着する嵌着管部と、該嵌着管部に連成した外側に広がるテーパ部と、該テーパ部に連成したシリンダ内面と摺擦する摺擦部とからなり、該摺擦部の厚さをテーパ部よりも厚くしたことを特徴とする。
【０００５】
請求項２に記載のパッキンは、請求項１に記載の構成において、前記テーパ部に連成した摺擦部を、厚さが先端に向かって漸増する略逆台形の断面形状とするとともに、その摺擦面の傾斜角度を前記テーパ部の傾斜角度よりも緩やかな角度としたことを特徴とする。
【０００６】
【発明の作用及び効果】
請求項１に記載のパッキンによれば、ピストンがシリンダから引き抜かれる吸引時には、シリンダと摺擦する摺擦部に吸引方向と逆向きに摩擦力が作用する。この摩擦力により摺擦部は反り返って変形しようとするが、テーパ部の厚さは摺擦部の厚さよりも薄く剛性が低いから、該摺擦部により先にテーパ部が変形して撓む。テーパ部の撓み変形により、摺擦部が引かれて先端部がピストン側に倒れる。これにより摩擦力が弱まり、摺擦部が反り返えることもなく円滑にピストンを押引できる。
【０００７】
請求項２に記載のシリコンゴム製のパッキンによれば、テーパ部に連成した摺擦部を、厚さが先端に向かって漸増する略逆台形の断面形状とするとともに、その摺擦面の傾斜角度を前記テーパ部の傾斜角度よりも緩やかな角度としたから、摺擦面の先端部がシリンダと摺擦することにより、吸引方向と逆向きに作用する摩擦力が弱まりパッキンの耐久性が向上する。さらに、摺擦部での摩擦力が前記テーパ部に伝わって、該テーパ部が外側に膨らむ状態となると、逆に略逆台形の断面形状の摺擦部がピストン側の内側に倒れるから、該摺擦部が反り返えることなく円滑にピストンを押引できる。
【０００８】
【発明の実施の形態】
本発明の実施形態について添付図面を参照して説明する。図１は本発明に係るパッキン１を使用したピストン式搾乳器２１の一部切欠正面図、図２は要部の断面図である。ピストン式搾乳器２１は、管状のピストン２２の先端に形成した漏斗状の母乳受け２３を乳房に密着させ、母乳溜めとなるシリンダ２４を押引して搾乳する。図２に示すようにパッキン１は、シリコンゴム製の一体成形品であって、ピストン式搾乳器２１のピストン２２の外周に形成された環状嵌着溝２５に嵌着する嵌着管部２と、該嵌着管部２に連成した外側に広がるテーパ部３と、該テーパ部３にピストン式搾乳器２１のシリンダ２４との摺擦部４を連成し、該摺擦部４の厚さＴをテーパ部３の厚さｔよりも厚くしたものである。
【０００９】
上記構成のパッキン１は、ピストン式搾乳器２１のピストン２２をシリンダ１２から引き抜く吸引時には、シリンダ２４と摺擦する摺擦部４に吸引方向と逆向きに摩擦力が作用する。この摩擦力により摺擦部４及びテーパ部３はともに反り返って変形しようとするが、テーパ部３の厚さｔは摺擦部４の厚さＴよりも薄く剛性が低いから、該摺擦部４により先にテーパ部３が変形して撓む。テーパ部３の撓み変形により、摺擦部４が引かれて先端部４ａがピストン２２側に倒れる。これにより摩擦力が弱まり、摺擦部４が反り返えることもなく円滑にシリンダ２４を押引できる。また、シリコンゴム製であるから、ピストン式搾乳器２１を電子レンジで加熱消毒することができる。
【００１０】
図３はパッキン１の変形例を示した断面図である。このパッキン１１は、嵌着管部１２と、該嵌着管部１２に連成した外側に広がるテーパ部１３と、該テーパ部１３に連成した摺擦部１４を、厚さが先端に向かって漸増する略逆台形の断面形状とするとともに、その摺擦面１５の傾斜角度θａをテーパ部１３の傾斜角度θｂよりも緩やかな角度に形成したものである。
【００１１】
上記パッキン１１は摺擦部１４の摺擦面１５の先端部でシリンダ２４と摺擦するから、吸引方向と逆向きに作用する摩擦力が弱まりパッキン１１の耐久性が向上する。さらに、摺擦部１４での摩擦力が前記テーパ部１３に伝わって、該テーパ部１３が外側に膨らむ状態となると、逆に略逆台形の断面形状の摺擦部１４がピストン２２側の内側に倒れるから、該摺擦部１４が反り返えることなく円滑にピストン２２を押引できる。また、パッキン１１はパッキン１と同様シリコンゴム製であるから、ピストン式搾乳器２１を電子レンジで加熱消毒することができる。
【００１２】
上記パッキン１，１１は、ピストン式搾乳器２１の他に注射器のピストン等にも使用することができる。
【図面の簡単な説明】
【図１】ピストン式搾乳器２１の一部切欠正面図である。
【図２】パッキンの使用形態を示した要部の断面図である。
【図３】パッキンの変形例を示した要部の断面図である。
【図４】従来例のパッキンの断面図である。。
【符号の説明】
１，１１．．．パッキン
２，１２．．．嵌着管部
３，１３．．．テーパ部
４，１４．．．摺擦部
１５．．．摺擦面
２２．．．ピストン
２４．．．シリンダ
２５．．．環状嵌着溝
【図１】
2004060791.tif 000003
【図２】
2004060791.tif 000004
【図３】
2004060791.tif 000005
【図４】
2004060791.tif 000006